(57)【要約】【課題】処理の実行のために設定する設定項目値の設定の簡便化を図る。【解決手段】処理の実行のために設定する設定項目と当該各設定項目の設定値とを対応付けして記憶する機能セット記憶部５と、ユーザによる所定の操作により設定項目の登録指示がされたことに応じて、機能に属する設定項目及びその設定値との組を含む機能セットを機能毎に生成して機能セット記憶部５に登録する機能セット登録部１０と、を有する。【選択図】図１
2010154151.tif 000002
【特許請求の範囲】
【請求項１】
処理の実行のために設定する設定項目と当該設定項目の設定値とを対応付けた実行条件を記憶する記憶手段と、
前記設定項目のうち、一部の設定項目を選択する選択手段と、
前記選択手段によって選択された設定項目とその設定値を前記実行条件として前記記憶手段に登録する登録手段と、
処理の実行のために設定項目に設定値を設定する際に、前記記憶手段に記憶された実行条件が選択された場合、選択された前記実行条件に対応する設定項目の設定値を、前記記憶手段に記憶された前記設定値に設定する設定手段と、
を有することを特徴とする情報処理装置。
【請求項２】
請求項１に記載の情報処理装置において、
前記登録手段は、前記実行条件を、複数の設定項目をまとめた機能設定群ごとの実行条件として登録することを特徴とする情報処理装置。
【請求項３】
請求項１または２に記載の情報処理装置において、
前記選択手段は、複数の設定項目をまとめた機能設定群を選択することにより、当該機能設定群に含まれる少なくともひとつの設定項目を、前記一部の設定項目として選択し、
前記登録手段は、前記選択手段により選択された前記機能設定群に含まれる少なくともひとつの設定項目とその設定値を実行条件として前記記憶手段に登録することを特徴とする情報処理装置。
【請求項４】
請求項１乃至３のいずれか１項に記載の情報処理装置であって、
前記選択手段は、複数の設定項目をまとめた機能設定群ごとに実行条件を登録する旨の指示がなされた場合に、機能設定群ごとに、前記機能設定群に含まれる少なくともひとつの設定項目を、前記一部の設定項目として選択し、
前記登録手段は、前記機能設定群ごとに、前記選択手段により選択された前記機能設定群に含まれる少なくともひとつの設定項目とその設定値を、前記機能設定群ごとの実行条件として前記記憶手段に登録することを特徴とする情報処理装置。
【請求項５】
請求項１乃至４のいずれか１項に記載の情報処理装置において、
設定項目は、前記機能設定群が、処理を実現する機能毎に分けられていることを特徴とする情報処理装置。
【請求項６】
コンピュータを、
処理の実行のために設定する設定項目と当該設定項目の設定値とを対応付けた実行条件を記憶する記憶手段、
前記設定項目のうち、一部の設定項目を選択する選択手段、
前記選択手段によって選択された設定項目とその設定値を前記実行条件として前記記憶手段に登録する登録手段、
処理の実行のために設定項目に設定値を設定する際に、前記記憶手段に記憶された実行条件が選択された場合、選択された前記実行条件に対応する設定項目の設定値を、前記記憶手段に記憶された前記設定値に設定する設定手段、
として機能させる情報処理プログラム。
【発明の詳細な説明】
【技術分野】
【０００１】
本発明は、情報処理装置及び情報処理プログラムに関する。
【背景技術】
【０００２】
複合機では、スキャン、コピー、プリント、ファクス等の多様な処理機能が実行可能である。ユーザは、これらの機能を組み合わせて処理を実行することができ、その際に各機能に対し読取条件や出力条件等のパラメータ値を設定する必要がある。従来の複合機では、パラメータの設定内容をジョブメモリに一括して保存し、これ以降の処理の実行時には、保存した設定内容をジョブメモリから一括して読み出すことによって再利用可能にするジョブメモリ機能が提供されている。なお、保存したパラメータ値のうち一部の機能に関連するパラメータ値のみを利用したい場合に、利用しない機能にロックをかけることによって読み出しを制御する技術が提案されている（例えば、特許文献１）。
【０００３】
【特許文献１】特開２００６−０６７２１０号公報
【発明の開示】
【発明が解決しようとする課題】
【０００４】
本発明は、処理の実行のために設定すべき設定項目のうち、選択された一部の設定項目に対して簡便に設定することを目的とする。
【課題を解決するための手段】
【０００５】
本発明に係る情報処理装置は、処理の実行のために設定する設定項目と当該設定項目の設定値とを対応付けた実行条件を記憶する記憶手段と、前記設定項目のうち、一部の設定項目を選択する選択手段と、前記選択手段によって選択された設定項目とその設定値を前記実行条件として前記記憶手段に登録する登録手段と、処理の実行のために設定項目に設定値を設定する際に、前記記憶手段に記憶された実行条件が選択された場合、選択された前記実行条件に対応する設定項目の設定値を、前記記憶手段に記憶された前記設定値に設定する設定手段と、を有することを特徴とする。
【０００６】
また、前記登録手段は、前記実行条件を、複数の設定項目をまとめた機能設定群ごとの実行条件として登録することを特徴とする。
【０００７】
また、前記選択手段は、複数の設定項目をまとめた機能設定群を選択することにより、当該機能設定群に含まれる少なくともひとつの設定項目を、前記一部の設定項目として選択し、前記登録手段は、前記選択手段により選択された前記機能設定群に含まれる少なくともひとつの設定項目とその設定値を実行条件として前記記憶手段に登録することを特徴とする。
【０００８】
また、前記選択手段は、複数の設定項目をまとめた機能設定群ごとに実行条件を登録する旨の指示がなされた場合に、機能設定群ごとに、前記機能設定群に含まれる少なくともひとつの設定項目を、前記一部の設定項目として選択し、前記登録手段は、前記機能設定群ごとに、前記選択手段により選択された前記機能設定群に含まれる少なくともひとつの設定項目とその設定値を、前記機能設定群ごとの実行条件として前記記憶手段に登録することを特徴とする。
【０００９】
また、設定項目は、前記機能設定群が、処理を実現する機能毎に分けられていることを特徴とする。
【００１０】
本発明に係る情報処理プログラムは、コンピュータを、処理の実行のために設定する設定項目と当該設定項目の設定値とを対応付けた実行条件を記憶する記憶手段、前記設定項目のうち、一部の設定項目を選択する選択手段、前記選択手段によって選択された設定項目とその設定値を前記実行条件として前記記憶手段に登録する登録手段、処理の実行のために設定項目に設定値を設定する際に、前記記憶手段に記憶された実行条件が選択された場合、選択された前記実行条件に対応する設定項目の設定値を、前記記憶手段に記憶された前記設定値に設定する設定手段、として機能させる。
【発明の効果】
【００１１】
請求項１，６記載の発明によれば、全ての設定項目の設定値を一括して登録する場合と比較して、再利用するために必要な設定項目を登録する場合の利便性が向上する。
【００１２】
請求項２記載の発明によれば、選択された設定項目とその設定値を、機能設定群ごとに登録することができる。
【００１３】
請求項３記載の発明によれば、全ての設定項目の設定値を一括して登録する場合と比較して、必要な機能設定群ごとに登録する際の設定項目の選択する利便性を向上することができる。
【００１４】
請求項４記載の発明によれば、本構成を有さない場合と比べて、複数の設定項目を、各々の機能設定群ごとに登録する際の操作をより簡便に行うことができる。
【００１５】
請求項５記載の発明によれば、処理の実行のために設定すべき設定項目を、機能ごとに関連する設定項目ごとに設定することができる。
【発明を実施するための最良の形態】
【００１６】
以下、図面に基づいて、本発明の好適な実施の形態について説明する。
【００１７】
実施の形態１．
図１は、本発明に係る情報処理装置の一実施の形態を示したブロック構成図である。本実施の形態における情報処理装置は、スキャン、コピー、プリント、ファクス等の処理機能を有する複合機２０に搭載されたコンピュータにより実現される。本実施の形態における複合機２０は、少なくとも２以上の機能が搭載されている画像形成装置である。なお、図１には、本実施の形態の説明に必要な構成要素のみが図示されている。
【００１８】
図２は、本実施の形態における複合機２０のハードウェア構成図である。図２において、ＣＰＵ２１は、ＲＯＭ２９に格納されたプログラムにしたがってスキャナ２４やプリンタエンジン２６等本装置に搭載された各種機構の動作制御を行う。アドレスデータバス２２は、ＣＰＵ２１の制御対象となる各種機構と接続してデータの通信を行う。操作パネル２３は、ユーザからの指示の受け付け、情報の表示を行う。スキャナ２４は、ユーザがセットした原稿を読み取り、電子データとしてＨＤＤ（Ｈａｒｄ  Ｄｉｓｋ  Ｄｒｉｖｅ）２５等に蓄積する。ＨＤＤ２５は、スキャナ２４を使用して読み取った電子文書などを格納する。プリンタエンジン２６は、ＣＰＵ２１で実行される制御プログラムからの指示に従い出力用紙上に画像を印字する。ネットワークインタフェース（Ｉ／Ｆ）２７は、ネットワーク３１を接続し、他の装置から送られてくるジョブの受信、ジョブの実行結果情報の送信、またブラウザ経由による本装置へのアクセスなどに利用される。ＲＡＭ２８は、プログラム実行時のワークメモリや電子データ送受信時の通信バッファとして利用される。ＲＯＭ２９は、本装置の制御や電子データの暗号、電子データの送受信に関する各種プログラムが格納されている。各種プログラムが実行されることで後述する各構成要素が所定の処理機能を発揮する。外部メディアインタフェース（Ｉ／Ｆ）３０は、ＵＳＢメモリ、フラッシュメモリ等の外部メモリ機器とのインタフェースである。
【００１９】
図１に戻り、本実施の形態における複合機２０は、ユーザインタフェース（ＵＩ）部１、ジョブメモリ機能処理部２、ジョブ実行部３、初期値記憶部４及び機能セット記憶部５を有している。ユーザインタフェース（ＵＩ）部１は、パラメータ値の登録要求を受け付ける登録要求受付部６、ジョブメモリ登録画面を操作パネル２３に表示する画面表示部７、機能セット記憶部への登録指示を受け付ける登録指示受付部８及び機能セット記憶部から登録内容を読み出す読出指示を受け付ける読出指示受付部９を有している。ジョブメモリ機能処理部２は、ジョブメモリ機能を実行する手段である。本実施の形態におけるジョブメモリ機能処理部２は、ジョブの実行要求に応じてパラメータ設定画面に表示するパラメータ値を初期値記憶部４又は機能セット記憶部５から取得する。また、ジョブメモリ機能処理部２は、ユーザからの登録指示に応じて設定されたパラメータ値を含む機能セットを生成して機能セット記憶部５に登録する機能セット登録部１０と、ユーザからの指示に応じて機能セット記憶部５から機能セットを読み出す機能セット読出部１１と、を有する。ジョブ実行部３は、設定されたパラメータ値によってジョブに設定された処理機能を実施する。初期値記憶部４は、各パラメータの初期値が設定されている記憶手段である。この初期値記憶部４に予め登録されている初期値のデータ構成例を図３に示す。本実施の形態における機能セット記憶部５には、各機能を実行する上で設定されたパラメータと当該パラメータへの設定値とが対応付けされ、かつ機能毎にまとめて記憶されている。機能セットについては後述する。
【００２０】
複合機２０における各構成要素３１〜３３は、複合機２０に搭載されたコンピュータと、コンピュータに搭載されたＣＰＵ１で動作するプログラムとの協調動作により実現される。また、初期値記憶部４及び機能セット記憶部５は、複合機２０に搭載されたＨＤＤ２５にて実現される。
【００２１】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがインストールプログラムを順次実行することで各種処理が実現される。
【００２２】
ここで、機能セットについて説明する。本実施の形態においては、処理の一例としてジョブを、複合機２０に搭載された情報処理装置に実行させる場合について説明するが、ジョブは、複数の機能を組み合わせることによって実現できる。そして、各機能を実行するためには、機能の実行に必要な種々のパラメータに対してパラメータ値を事前に設定する必要がある。繰り返し同じ処理を実行したいユーザにとって、処理を実行する都度、設定項目に対する設定値を入力するのでは、設定操作が面倒であるとともに、場合によっては設定ミスをすることが考えられる。そのため、このような設定項目と設定値との組み合わせを、複合機内あるいは複合機外の記憶手段に登録しておき、処理の実行に先立って、登録した設定項目と設定値の組み合わせを読み出して、設定を復元することが可能にしている場合がある。このような設定項目と、設定値の組み合わせを、たとえば「ジョブメモリ」と呼ぶ。なお、本実施の形態では、「パラメータ」と「設定項目」とを同義に用いている。本実施の形態では、各機能を実行する上で各パラメータに設定した値を機能毎にまとめて機能セット記憶部５に記憶させている。つまり、機能セットとは、パラメータの識別情報の一例であるパラメータ名と、そのパラメータ値との組を機能毎にまとめたデータ群のことをいう。機能セットには、原稿のサイズ、両面原稿、原稿画質、枠消し量やページ連写といった読み取り系の機能セット、両面出力やＮｕｐ（複数ページを１枚の用紙にまとめて印刷する機能）、仕分け、ステープル/パンチといった印字出力系の機能セット、ファクスにおける送信先と通信モード、メール送信における送信アドレスとファイル分割方法や圧縮設定、ネットワーク転送における転送先ＰＣのディレクトリとユーザ名、パスワードといった文書送信系の機能セット等がある。
【００２３】
次に、本実施の形態における動作について説明する。まず、本実施の形態における機能セット記憶部５に機能セットを登録する処理について図４に示したフローチャートを用いて説明する。
【００２４】
所望のジョブを実行したいユーザが複合機２０の操作パネル２３を操作することで所定のパラメータ設定画面（図示せず）を表示させ、そのパラメータ設定画面からジョブの実行に必要なパラメータの設定を行う。一般に、パラメータの設定は、パラメータ設定画面に初期値を表示し、ユーザが初期値を変更したい場合に、選択候補の中からパラメータ値を選択するなどして行われるが、本実施の形態におけるジョブメモリ機能処理部２も基本的には同様な処理によってパラメータの設定を行う。
【００２５】
このとき、設定した内容を機能セット記憶部５に登録したい場合、ユーザは、所定の操作を行うことでパラメータ値の登録要求を出す。登録要求を登録要求受付部６が受け付けると、ジョブメモリ機能処理部２は、ジョブメモリ登録画面を生成する。画面表示部７は、この生成されたジョブメモリ登録画面を操作パネル２３に表示する（ステップ１１０）。
【００２６】
図５は、本実施の形態におけるジョブメモリ登録画面の表示例を示した図である。図５から明らかなように、パラメータ名とそのパラメータの設定値との組は、機能毎に分けられて表示されている。この表示されたパラメータ値は、ユーザによって設定された値である。
【００２７】
ここで、ユーザが画面表示されたパラメータ値を機能セット記憶部５に保存したい場合、画面上に登録指示部品として設けられた登録ボタン４１をクリック選択する。このとき、分割して登録するか、あるいは従前の通り一括して登録するかを選択できるように、本実施の形態ではチェックボックス４２を設けた。ここでは、図５に例示したようにチェックした後に登録ボタン４１がクリック選択されたものとする。なお、チェックボックス４２にチェックしない場合は、従前と同じように処理すればよいので説明を省略する。
【００２８】
登録指示受付部８が、登録ボタン４１の選択操作を検出することで機能セット記憶部５への登録指示を受け付けると（ステップ１２０）、ジョブメモリ機能処理部２は、その登録指示に応じて、まずチェックボックス４２の選択状態を確認する（ステップ１３０）。ここでは、チェックボックス４２がチェックされていたものとして説明する。この場合、ジョブメモリ機能処理部２における機能セット登録部１０は、ジョブメモリ登録画面に表示されていたパラメータ名とそのパラメータの設定値との組を機能毎に分割する。すなわち、図５の例によると、機能セット登録部１０は、複合機２０が提供する機能を読取系機能と印字出力系機能とからなる機能群に分けることで２つの機能セットを生成する（ステップ１４０）。なお、図５では、便宜的に２つの機能のみを図示している。そして、生成した２つの機能セットを機能セット記憶部５にジョブメモリとして登録する（ステップ１５０）。
【００２９】
図６は、本実施の形態におけるジョブメモリ５のデータ構成例及び機能セットのデータ構成例を示した図である。機能セット記憶部５には、機能セットに関する情報が記憶される領域５３と、当該領域５３の使用の有無が設定されるフラグ領域５４とに、これらの機能セットに関する情報５３，５４の組の識別番号が設定される領域５５が対応付けられて登録される。なお、機能セットのジョブメモリ上の登録位置の決め方や削除等のデータ管理に関しては、本実施の形態の要旨ではないので説明を省略する。
【００３０】
機能セットに関する情報には、機能セットに、当該機能セットをユーザが識別するための機能セット名と機能セット記憶部５への登録日時が付加されて構成される。なお、機能セット名は、登録ボタン４１の選択後にユーザに入力させるようにしてもよい。なお、その他にも登録者の氏名や識別番号等の登録者情報や当該機能セットの利用に関するアクセス制御情報等を付加するようにしてもよい。図６から明らかなように、チェックボックス４２がチェックされた分割登録指示の場合には、１つのジョブのために設定するパラメータ値は、機能毎にグループ分けして個別に登録される。
【００３１】
続いて、機能セット記憶部５に登録された機能セットを利用したパラメータ値の設定処理について図７に示したフローチャートを用いて説明する。
【００３２】
所望のジョブを実行したいユーザが複合機２０の操作パネル２３を操作することで所定のパラメータ設定画面（図示せず）を表示させ、そのパラメータ設定画面からジョブの実行に必要なパラメータの設定を行う。このとき、機能セット記憶部５に登録されている機能セットを利用したい場合、ユーザが所定の読み出し指示操作を行うと、読出指示受付部９は、その読出指示を受け付ける（ステップ１６０）。すると、ジョブメモリ機能処理部２は、その読出指示に応じて機能セット記憶部５に登録されている機能セット名を読み出し、機能セット選択画面の所定位置に表示するように設定した機能セット選択画面を画面表示部７に表示させる（ステップ１７０）。
【００３３】
図８は、本実施の形態において操作パネル２３に表示される機能セット選択画面の表示例を示した図である。図８には、機能毎に、機能名と、当該機能に関連する機能セットのうちユーザに選択された機能セット名が表示される表示領域４４と、当該機能に関連する機能セットをリスト表示させるボタン４５と、表示領域４４に表示された機能セットに含まれるパラメータ名とその設定値との組が表示されるパラメータ表示領域４６と、選択された機能セットを用いる場合にチェックされるチェックボックス４３とが組にして表示される。
【００３４】
ユーザは、機能セットを使用したい機能に対応するチェックボックス４３にチェックをし、ボタン４５を操作することで当該機能に関連する機能セット名をプルダウンメニューにリスト表示し、その中から使用したい機能セットを選択する。選択された機能セットの内容は、パラメータ表示領域４６に表示されるので、各パラメータ値を確認できる。
【００３５】
機能セットを必要により選択した後、ユーザが設定ボタン４７をクリック選択すると、ジョブメモリ機能処理部２における機能セット読出部１１は、チェックボックス４３にチェックがされている機能に対しては、ユーザにより選択された機能セットを機能セット記憶部５から読み出し、一方、チェックボックス４３にチェックがされていない機能に対しては、初期値記憶部４からパラメータの初期値を読み出す（ステップ１８０）。そして、それぞれから読み出したパラメータ値をパラメータ設定画面に設定し、画面表示部７に操作パネル２３に表示させる（ステップ１９０）。この後に所定のジョブ実行操作をユーザが行うことで、ジョブ実行部３は、以上のようにして設定されたパラメータ値によりジョブを実行する。
【００３６】
実施の形態２．
実施の形態１では、機能セット記憶部５に機能セットを登録する際、ユーザインタフェースとして図５に示したジョブメモリ登録画面を利用した。本実施の形態では、実施の形態１とは異なるユーザインタフェースを提供することを特徴としている。図９は、本実施の形態におけるジョブメモリ登録画面の表示例を示した図である。なお、本実施の形態における複合機２０のブロック構成及びハードウェア構成は、図１，２を用いて説明した実施の形態１と同じでよい。
【００３７】
以下、本実施の形態における機能セット記憶部５に機能セットを登録する処理について説明するが、処理の基本的な内容は実施の形態１と同じでよいので、図４に示したフローチャートを用いて説明し、同じ処理に関しては適宜省略する。
【００３８】
ユーザからの要求に応じて、画面表示部７は、ジョブメモリ登録画面を操作パネル２３に表示する（ステップ１１０）。このとき表示されるジョブメモリ登録画面は、図９に示したとおりである。実施の形態１では、ジョブメモリ登録画面に、パラメータ値を機能毎に分割して登録するか、あるいは従前の通り一括して登録するかを選択するチェックボックス４２を１つ設けたが、本実施の形態では、機能名それぞれにグループ選択部品として設けたチェックボックス４８を対応付けたことを特徴としている。
【００３９】
ジョブメモリ登録画面上の登録ボタン４１の選択操作を検出することでジョブメモリの登録指示を受け付けると（ステップ１２０）、ジョブメモリ機能処理部２は、その登録指示に応じて、まずチェックボックス４８の選択状態を確認する（ステップ１３０）。ユーザが図９に例示したように読取系機能に対応したチェックボックス４８にはチェックし、印字出力系機能に対応したチェックボックス４８にはチェックしなかったとすると、機能セット登録部１０は、チェックされている読取系機能に関連するパラメータの名称と設定値の組により読取系機能の機能セットを生成し（ステップ１４０）、ジョブメモリ５に登録する（ステップ１５０）。一方、チェックされていない印字出力系機能に対しては機能セットを生成しない。
【００４０】
すなわち、実施の形態１では、チェックボックス４２をチェックすることによって分割登録が指示された場合、複合機２０における全ての機能、本実施の形態の例では、読取系機能及び印字出力機能についてそれぞれ機能セットが生成される。これに対し、本実施の形態では、機能セットを生成した機能に対応付けられたチェックボックス４８にチェックすることで、チェックした機能のみに対して機能セットが生成されることになる。これにより、本実施の形態では、図６に示した機能セット名が「両面左とじ読み取り」の機能セットは生成されるが、「両面ステープルパンチ２ｕｐプリント」の機能セットは生成されない。
【００４１】
なお、機能セット記憶部５に登録された機能セットを利用したパラメータ値の設定処理は、実施の形態１と同じなので説明を省略する。
【００４２】
実施の形態３．
実施の形態１では、パラメータ値の機能セット記憶部５への登録を機能セットとして機能単位に行えるジョブメモリ登録画面を提供し、また、実施の形態３では、さらに機能セットの登録の是非を機能毎に選択できるジョブメモリ登録画面を提供した。本実施の形態では、さらに実施の形態１，２とは異なるユーザインタフェースを提供することを特徴としている。
【００４３】
図１０は、本実施の形態におけるジョブメモリ登録画面の表示例を示した図である。なお、本実施の形態における複合機２０のブロック構成及びハードウェア構成は、図１，２を用いて説明した実施の形態１と同じでよい。
【００４４】
以下、本実施の形態における機能セット記憶部５に機能セットを登録する処理について説明するが、処理の基本的な内容は実施の形態１と同じでよいので、図４に示したフローチャートを用いて説明し、同じ処理に関しては適宜省略する。
【００４５】
ユーザからの要求に応じて、画面表示部７は、ジョブメモリ登録画面を操作パネル２３に表示する（ステップ１１０）。このとき表示されるジョブメモリ登録画面は、図１０に示したとおりである。実施の形態２では、機能名それぞれにグループ選択部品として設けたチェックボックス４８を対応付けたが、本実施の形態では、さらにパラメータ名それぞれに項目選択部品として設けたチェックボックス４９を対応付けたことを特徴としている。
【００４６】
登録ボタン４１の選択操作を検出することでジョブメモリの登録指示を受け付けると（ステップ１２０）、ジョブメモリ機能処理部２は、その登録指示に応じて、まずチェックボックス４８の選択状態を確認する（ステップ１３０）。ユーザが図１０に例示したように読取系機能に対応したチェックボックス４８にチェックがされている場合、機能セット登録部１０は、さらに読取系機能に属するパラメータそれぞれに対応付けされたチェックボックス４９のチェックの有無を確認する。図１０の画面表示例では、読取系機能における全てのチェックボックス４９がチェックされているので、処理内容としては実施の形態２と同様に、機能セット登録部１０は、チェックされている読取系機能に関連するパラメータの名称と設定値の組により読取系機能の機能セットを生成し（ステップ１４０）、機能セット記憶部５に登録する（ステップ１５０）。一方、印字出力系機能においては、「ステープル」及び「パンチ」それぞれに対応したチェックボックス４９には、チェックがされていないので、機能セット登録部１０は、印字出力系機能に属するパラメータのうちチェックボックス４９にチェックがされていない「ステープル」及び「パンチ」を除くパラメータの名称と設定値の組により印字出力系機能の機能セットを生成し（ステップ１４０）、機能セット記憶部５に登録する（ステップ１５０）。
【００４７】
図１１は、本実施の形態におけるジョブメモリのデータ構成例及び機能セットのデータ構成例を示した図である。読取系機能の機能セットは、パラメータ全てのチェックボックス４９にチェックがされていたので、実施の形態１，２と同様の内容の機能セットが登録される。一方、印字出力系機能の機能セットには、「ステープル」及び「パンチ」に対応したチェックボックス４９にチェックがされていたので、実施の形態１で用いた図６におけるジョブメモリの内容と比較すれば明らかなように、「ステープル」及び「パンチ」のパラメータ値は含まれていない。
【００４８】
なお、機能セット記憶部５に登録された機能セットを利用したパラメータ値の設定処理は、実施の形態１と同じなので説明を省略する。
【００４９】
ところで、本実施の形態では、チェックボックス４９がチェックされると、それに対応するパラメータ値を機能セット記憶部５に登録している。従って、ユーザインタフェースとして、チェックボックス４９がチェックされると、そのチェックボックス４９に対応するパラメータを含む機能のチェックボックス４８にも自動的にチェックを入れるようにすれば都合がよい。また、機能のチェックボックス４８がチェックされると、そのチェックボックス４８に対応する機能に属するパラメータのチェックボックス４９にも自動的にチェックを入れるようにしてもよい。つまり、ユーザは、チェックボックス４８に加えて機能セット記憶部５に登録したいパラメータに対応したチェックボックス４９それぞれにチェックをするのではなく、自動的にチェックされたチェックボックス４９のうち機能セット記憶部５に登録しなくてよいパラメータに対応したチェックボックス４９からチェックを外すことになる。このように、各チェックボックス４８，４９に対するチェックの自動設定に関しては、様々なパターンが考えられるが、いずれのパターンを採用するかは、パラメータの数等によって適宜設計すればよい。
【００５０】
上記各実施の形態では、ジョブの実行に用いられる機能として、読取系機能及び印字出力系機能の２つの機能を例にして説明した。ただし、パラメータ（設定項目）をグループ分けする機能の数や機能の分類方法については、これに限定されるものではない。
【００５１】
図１２は、設定項目を、上記と異なる機能分類にてグループ分けする場合の一例を示した図である。図１２に示した機能及び設定項目の一覧表には、機能の種類と、各機能に属する設定項目と、各設定項目に設定可能な設定値と、各機能に属する設定項目を複数のグループに群分けした場合の設定項目分類と、が示されている。この一覧表に従って設定項目をグループ分けしてもよい。
【００５２】
また、上記各実施の形態では、設定項目を機能セット記憶部５に登録するインタフェースとして異なるジョブメモリ登録画面を示したが、これらのジョブメモリ登録画面は、排他的に用いるのではなく複数のジョブメモリ登録画面を用意して選択可能に用いるようにしてもよい。
【００５３】
また、本実施の形態では、機能で分割するという所定のグループ分け条件に従い設定項目をグループ分けしたが、グループは、必ずしも機能によって分類する必要はなく、異なるグループ分け条件に従って設定項目をグループ分けしてもよい。
【図面の簡単な説明】
【００５４】
【図１】本発明に係る情報処理装置の実施の形態１を示したブロック構成図である。
【図２】実施の形態１における複合機のハードウェア構成図である。
【図３】実施の形態１における初期値記憶部に予め登録されている初期値のデータ構成例を示した図である。
【図４】実施の形態１におけるジョブメモリ登録処理を示したフローチャートである。
【図５】実施の形態１におけるジョブメモリ登録画面の表示例を示した図である。
【図６】実施の形態１におけるジョブメモリのデータ構成例及び機能セットのデータ構成例を示した図である。
【図７】実施の形態１におけるパラメータ設定処理を示したフローチャートである。
【図８】実施の形態１における機能セット選択画面の表示例を示した図である。
【図９】実施の形態２におけるジョブメモリ登録画面の表示例を示した図である。
【図１０】実施の形態３におけるジョブメモリ登録画面の表示例を示した図である。
【図１１】実施の形態３におけるジョブメモリのデータ構成例及び機能セットのデータ構成例を示した図である。
【図１２】機能及び設定項目の一覧表の一例を示した図である。
【符号の説明】
【００５５】
１  ユーザインタフェース（ＵＩ）部、２  ジョブメモリ機能処理部、３  ジョブ実行部、４  初期値記憶部、５  機能セット記憶部（ジョブメモリ）、６  登録要求受付部、７  画面表示部、８  登録指示受付部、９  読出指示受付部、１０  機能セット登録部、１１  機能セット読出部、２０  情報処理装置（複合機）、２１  ＣＰＵ、２２  アドレスデータバス、２３  操作パネル、２４  スキャナ、２５  ハードディスクドライブ（ＨＤＤ）、２６  プリンタエンジン、２７  ネットワークインタフェース（Ｉ／Ｆ）、２８  ＲＡＭ、２９  ＲＯＭ、３０  外部メディアインタフェース（Ｉ／Ｆ）、３１  ネットワーク。
【図１】
2010154151.tif 000003
【図２】
2010154151.tif 000004
【図３】
2010154151.tif 000005
【図４】
2010154151.tif 000006
【図５】
2010154151.tif 000007
【図６】
2010154151.tif 000008
【図７】
2010154151.tif 000009
【図８】
2010154151.tif 000010
【図９】
2010154151.tif 000011
【図１０】
2010154151.tif 000012
【図１１】
2010154151.tif 000013
【図１２】
2010154151.tif 000014